(57)【要約】【課題】音声による発注などの商取引の時刻の信頼性を向上させることができるサービスを提供する音声記録システムの提供。【解決手段】公衆回線２０を介して顧客の端末５５から音声による取引情報を受信し、交信内容のアナログ音声データに一定間隔で時刻信号を加え、デジタル録音した信号の一方向関数値を求める。一方向関数値に取引の着信時刻と終了時刻と内線番号と発信者番号からなるログ情報を付加し、新たな一方向関数値を求め、時刻監査証明書を付加した、データベース６０を構築する。【選択図】    図１
2004158993.tif 000002
【特許請求の範囲】
【請求項１】
ネットワークコンピュータ上で、顧客からの取引の交信内容と、取引の交信開始時から一定間隔で現在時刻情報を記録中のアナログ音声データに付与し、データを保管し、前記保管した音声記録データに第１の一方向関数値を生成する手段と、
前記顧客の発信者番号と交信開始時刻と交信終了時刻と前記第１の一方向関数値から第２の一方向関数値を生成する手段と、
前記交信開始から交信終了までの時刻と、前記第２の一方向関数値を前記ネットワークコンピュータに接続された時刻認証局に送信し、前記時刻認証局か発行される時刻監査証明書を前記ネットワークコンピュータ上に保存する手段とからなる音声記録システム。
【請求項２】
ネットワークコンピュータ上で、顧客からの取引の交信内容と、取引の交信開始時から発信される現在時刻のアナログ音声データとをデジタル変換し、第１の一方向関数値を生成する手段と、
前記顧客の発信者番号と交信開始時刻と交信終了時刻と前記第１の一方向関数値から第２の一方向関数値を生成する手段と、
前記交信開始から交信終了までの時刻と、前記第２の一方向関数値を前記ネットワークコンピュータに接続された時刻認証局に送信し、前記時刻認証局か発行される時刻監査証明書を前記ネットワークコンピュータ上に保存する手段とからなる音声記録システム。
【請求項３】
前記現在時刻が一定間隔で発信される請求項２記載の音声記録システム。
【請求項４】
前記ネットワークコンピュータ上に、前記顧客からの取引内容と前記現在時刻の音声データからなる音声データと、前記時刻監査証明書からなるデータベースを有する請求項２または３記載の音声記録システム。
【請求項５】
ネットワークコンピュータ上で、顧客からの取引の交信内容と、交信開始時から一定間隔で発信される現在時刻のアナログ音声データとをデジタル変換し、第１の一方向関数値を生成した後、前記顧客の発信者番号と交信開始時刻と交信終了時刻と前記第１の一方向関数値から第２の一方向関数値を生成し、前記交信開始から交信終了までの時刻と、前記第２の一方向関数値について前記ネットワークコンピュータに接続された時刻認証局により時刻監査証明書を前記ネットワークコンピュータ上に保存する音声記録方法。
【請求項６】
証券口座保有者と証券会社の株取引に関し、前記証券口座保有者と前記証券会社の担当との取引情報を電話交換機から収集し、前記取引の音声データにタイムスタンプを付加する株取引方法。
【発明の詳細な説明】
【０００１】
【発明の属する技術分野】
本発明は、電話による取引において電話交信の時刻を正確に記録し、主として取引の受注時間を記憶保存するシステムに関する。
【０００２】
【従来の技術】
従来、株取引の形態として対面や電話、インターネットによる取引が行われている。電話による取引では、音声データの交信記録をすべてデジタル信号に変換し、保存するボイスレコーディングが導入されている（例えば、非特許文献１参照。）。
【０００３】
例えば、デジタルボイス・ロギングシステム通話録音システムと呼ばれ、コンタクトセンター、お客様相談窓口、金融機関、トレーディングフロアでの音声取引に対して、通話内容の再確認やお客様からのクレーム確認、エージェントの対応状況の確認のために通話内容を録音する。デジタルへ変換した音声をハードディスクへ記録することにより、高速に記録し、音声劣化がなく、録音後の検索、再生が可能でＬＡＮやＷＡＮなどのネットワークとの親和性がある。これにより、電話による取引や交渉の内容を保存する。
【０００４】
【非特許文献１】
［ｏｎｌｉｎｅ］、［平成１４年９月１０日検索］、インターネット＜ＵＲＬ：ｈｔｔｐ：／／ｔｅａｃ．ｃｏ．ｊｐ／ｉｐｄ／ｃｒ／ｃｒ＿ａｐｐｌｉｃａｔｉｏｎ２ｊ．ｈｔｍｌ＞
【０００５】
【発明が解決しようとする課題】
しかし、電話での取引では、紙による内容の記録が残らないため、取引成立後に顧客や証券会社それぞれが言った、言わなかったの問題が発生することがあった。現在のボイスレコーディングでは、音声データのみ記憶しているため、時間の差異、誤解、急激な株価変動の影響により顧客が株取引を否認する場合があり、取引の成立について電話受注後にトラブルが発生することがあった。
【０００６】
本発明では、このような事情に鑑み、音声による発注などの商取引の時刻の信頼性を向上させることができるサービスを提供する音声記録システムを提供することを課題とする。
【０００７】
【課題を解決するための手段】
本発明では、ネットワークコンピュータ上で、顧客からの取引の交信内容と、取引の交信開始時から一定間隔で現在時刻情報を記録中のアナログ音声データに付与し、データを保管し、前記保管した音声記録データに第１の一方向関数値を生成する手段と、
前記顧客の発信者番号と交信開始時刻と交信終了時刻と前記第１の一方向関数値から第２の一方向関数値を生成する手段と、
前記交信開始から交信終了までの時刻と、前記第２の一方向関数値を前記ネットワークコンピュータに接続された時刻認証局に送信し、前記時刻認証局か発行される時刻監査証明書を前記ネットワークコンピュータ上に保存する手段とからなる音声記録システムとした。
【０００８】
本発明では、ネットワークコンピュータ上で、顧客からの取引の交信内容と、交信開始時から発信される現在時刻のアナログ音声データとをデジタル変換し、第１の一方向関数値を生成した後、前記顧客の発信者番号と交信開始時刻と交信終了時刻と前記第１の一方向関数値から第２の一方向関数値を生成し、前記交信開始から交信終了までの時刻と、前記第２の一方向関数値について前記ネットワークコンピュータに接続された時刻認証局により時刻監査証明書を前記ネットワークコンピュータ上に保存する声記録システムとした。
【０００９】
本発明では、上記の手段で一定間隔で発信された、現在時刻情報を音声データに付加することもできる。
【００１０】
本発明では、ネットワークコンピュータ上で、顧客からの取引の交信内容と、交信開始時から一定間隔で発信される現在時刻のアナログ音声データとをデジタル変換し、第１の一方向関数値を生成した後、前記顧客の発信者番号と交信開始時刻と交信終了時刻と前記第１の一方向関数値から第２の一方向関数値を生成し、前記交信開始から交信終了までの時刻と、前記第２の一方向関数値について前記ネットワークコンピュータに接続された時刻認証局により時刻監査証明書を前記ネットワークコンピュータ上に保存する音声記録方法を用いた。これにより、音声による電子商取引の音声データについて、デジタル署名技術を利用したので、取引記録の成立時期を、第三者により公正に証明することができ、顧客と取引者間のトラブルを防止することができる。
【００１１】
本発明では、証券口座保有者と証券会社の株取引に関し、前記証券口座保有者と前記証券会社の担当との取引情報を電話交換機から収集し、前記取引の音声データにタイムスタンプを付加する株取引方法とした。
【００１２】
【発明の実施の形態】
図１は、本発明の１実施例を示す図であり、時刻認証局１０と証券会社３０と顧客５０間の株取引を示す。時刻認証局１０はインターネット２０を介して、証券会社３０内のコンピュータに接続される。顧客５０と証券会社３０の間は、電話や携帯情報端末やコンピュータなどの端末５５から公衆回線４０を介して取引の音声データが交信される。
【００１３】
始めに顧客５０からの音声による発注依頼４１が、端末５５を介して発注依頼情報４２として証券会社３０のサーバに入力される。顧客５０の発注依頼情報４２に対して、証券会社３０のオペレータの受注情報４３が、公衆回線４０を介し顧客とのやり取りを含む受注情報４４として端末５５に送信される。ここで発注依頼情報４２と受注情報４４は、音声データ６２として証券会社３０のデータベースに記録される。ここで音声データベース６２は、証券会社３０のサーバから時刻監査証明書発行依頼情報２２が送信され、インターネット２０を介して時刻監査証明書発行依頼情報２１を受信した時刻認証局１０が時刻監査証明書２３を発信し、受信した時刻監査証明書２４を記録したタイムスタンプ６５として、データベース６０として保管する。音声データ６２とタイムスタンプ６５は一対となり、音声データ６２の時刻をタイムスタンプ６５が認証する。
【００１４】
時刻認証局１０は、定期的に時計の校正を行う共に、固有のＩＤ及び公開鍵の公開鍵証明書を取得し、公開鍵証書の一方向関数ではハッシュ値を含む時刻校正を行う。
【００１５】
図２は、顧客と証券会社の担当者間の会話を記録した音声データの内容を示す図で、音声データの記録と同時に現在時間をアナログ信号に変換した現在時刻信号７１を記録し、取引の音声データＤ１、Ｄ２それぞれ７５、７６を記録し、現在時刻信号から一定間隔で時刻信号７２、７３を付与し記録する。すなわち、交信内容の音声データ内に時刻情報を配置しておく。ここで一定間隔以外に、不定間隔に現在時間を挿入する方法も可能である。
【００１６】
図３は音声データから時刻認証データが付与された音声データを生成する工程を示す図で、時刻信号を含む顧客と取引の音声をボイスレコーダ１０５でデジタル録音し、この音声データの音声信号ハッシュ値１０１を生成する。ハッシュ値は、一方向関数値であり、メセッセージダイジェストとも呼ばれ、ハッシュ関数などの不可逆的な一方向関数により生成された、例えば固定長の擬似乱数である。同一データからは同一の一方向関数値が得られるが、一方向関数値から元のデータを再現することはできない。
【００１７】
音声信号ハッシュ値１０１にさらに、電話交換機１０７からの信号１０８から、電話取引の発信時刻、終了時刻、内線番号、発信者番号電話交換機ログ情報１０２を付加し、ハッシュ値１０４を生成し、時刻監査証明書となるタイムスタンプ１０３を発行する。
【００１８】
【発明の効果】
本発明では、音声データの記録と同時に現在時間をアナログ変換させた信号と同時に記録保存することで、音声データの不正な再利用を防止し、記録時間の正確性を確保することができる。さらに、音声データの一方向関数値に対してデジタル署名技術を利用したタイムスタンプを発行することで、音声記録データが何時存在していたかを第三者時刻認証局により証明することができる。
【００１９】
本発明では、取引の音声記録時に一定間隔で時刻信号を付与し、記録することで保存した音声データから不正な加工を防止することができる。
【００２０】
本発明では、音声信号のハッシュ値と着信時刻、終了時刻、内線番号、発信者番号のデータからハッシュ値を生成し、２種のハッシュ関数による音声信号のハッシュ値を生成することで、ハッシュ値からの逆算クラック対策ができる。
【００２１】
本発明では、証券口座保有者と証券会社における株取引の売買に関する情報をＰＢＸから収集し、音声データと一緒にタイムスタンプを押すことで、保存データの本人性および正確性を高めることが可能となる。
【図面の簡単な説明】
【図１】本発明の１実施例を示す、音声記録システムを示す図である。
【図２】本発明の音声データの１実施例を示す図である。
【図３】本発明の音声データの生成を示す図である。
【符号の説明】
１０  時刻認証局
２０  インターネット
３０  証券会社
４０  公衆回線
５０  顧客
５５  端末
６０  データベース
６２  音声データ
６５  タイムスタンプ
７１  現在時刻信号
７２、７３  時刻信号
７５、７６  音声データ
７７  交信内容
【図１】
2004158993.tif 000003
【図２】
2004158993.tif 000004
【図３】
2004158993.tif 000005